(57)【特許請求の範囲】
【請求項１】
吸入孔及びベーン溝が設けられた環状のシリンダと、
前記シリンダの端部を閉塞する閉塞板と、
モータにより回転駆動される回転軸の偏芯部に嵌合され前記シリンダのシリンダ内壁に沿って該シリンダ内を公転し前記シリンダ内壁との間に作動室を形成する環状ピストンと、
前記シリンダに設けられたベーン溝内から前記作動室内に突出して前記環状ピストンに当接し該作動室を吸入室と圧縮室とに区画するベーンと、
前記シリンダの外周部から前記ベーン溝に連通するように形成され前記外周部に面取り部を有するスプリング穴に挿入され前記ベーンの背面を押圧するベーンスプリングと、
を備えて成る圧縮部を有し、
前記ベーンスプリングは、外径が前記スプリング穴の内径より小さく形成され前記ベーンの背面を押圧する有効ばね部と、外径が前記スプリング穴の内径より大きく形成され前記スプリング穴の入口に圧入される大径部と、を有するロータリ圧縮機の製造方法であって、
前記ベーンスプリングの大径部の後端面が前記スプリング穴と垂直となるように、直径が前記スプリング穴の内径より大きい球状先端を有するベーンスプリング挿入治具により、前記大径部を前記スプリング穴の入口に圧入することを特徴とするロータリ圧縮機の製造方法。
【発明の詳細な説明】
【技術分野】
【０００１】
本発明は、空気調和機の冷凍サイクルに使用されるロータリ圧縮機の製造方法に関する。
【背景技術】
【０００２】
従来、密閉容器の一端側に電動機部、他端側に圧縮機部を配置し、かつこれら電動機部と圧縮機部とをクランク軸で回転可能に直結すると共に、前記クランク軸の偏心部に挿嵌され前記圧縮機部のシリンダ内で偏心回転する回転ピストンの外周面に、取付孔に装着したコイル状ベーンスプリングに付勢されたベーンを摺接するように設けてなるロータリコンプレッサにおいて、前記ベーンスプリングは、前記ベーン側に有効ばね部を有し、かつ他側に前記有効ばね部より大径に形成された大径部を有すると共に、前記大径部が前記有効ばね部側に形成された可動テーパ部と他側に形成された密着巻テーパ部を設けてなり、前記大径部の最大径部分と前記有効ばね部の直径差が、１．５ｍｍ以上であり、前記大径部を前記取付孔に圧入するようにして装着され、前記大径部が前記取付孔の孔端面に対し傾いた状態で装着されても、大径部以外の部位が取付孔の内壁面に接触せず、長期の運転を行っても前記ベーンスプリングが磨耗、疲労して折損することのないロータリコンプレッサが開示されている（例えば、特許文献１参照）。
【先行技術文献】
【特許文献】
【０００３】
【特許文献１】特許第３９２７３３１号公報
【発明の概要】
【発明が解決しようとする課題】
【０００４】
しかしながら、上記従来の技術によれば、ベーンスプリングの大径部と有効ばね部の直径差を１．５ｍｍ以上とし、かつ、大径部に可動テーパ部を設けなければならない。そのため、ベーンスプリングの形状設計の自由度が低く、信頼性の高い形状に設計することが難しくなり、高価な材料を使用してコストアップを招く、という問題がある。
【０００５】
本発明は、上記に鑑みてなされたものであって、ベーンスプリングの形状が簡素で、信頼性が高く、低コストなロータリ圧縮機の製造方法を得ることを目的とする。
【課題を解決するための手段】
【０００６】
上述した課題を解決し、目的を達成するために、本発明は、吸入孔及びベーン溝が設けられた環状のシリンダと、前記シリンダの端部を閉塞する閉塞板と、モータにより回転駆動される回転軸の偏芯部に嵌合され前記シリンダのシリンダ内壁に沿って該シリンダ内を公転し前記シリンダ内壁との間に作動室を形成する環状ピストンと、前記シリンダに設けられたベーン溝内から前記作動室内に突出して前記環状ピストンに当接し該作動室を吸入室と圧縮室とに区画するベーンと、前記シリンダの外周部から前記ベーン溝に連通するように形成され前記外周部に面取り部を有するスプリング穴に挿入され前記ベーンの背面を押圧するベーンスプリングと、を備えて成る圧縮部を有し、前記ベーンスプリングは、外径が前記スプリング穴の内径より小さく形成され前記ベーンの背面を押圧する有効ばね部と、外径が前記スプリング穴の内径より大きく形成され前記スプリング穴の入口に圧入される大径部と、を有するロータリ圧縮機の製造方法であって、前記ベーンスプリングの大径部の後端面が前記スプリング穴と垂直となるように、直径が前記スプリング穴の内径より大きい球状先端を有するベーンスプリング挿入治具により、前記大径部を前記スプリング穴の入口に圧入することを特徴とする。
【発明の効果】
【０００７】
本発明にかかるロータリ圧縮機の製造方法は、ベーンスプリングの大径部がスプリング穴の入口（穴端面）に対して傾いた状態で装着されることを防止できるので、ベーンスプリングが圧縮されても、有効ばね部が屈曲することはなく、スプリング穴の内壁面に接触せず、長期の運転を行ってもベーンスプリングが磨耗、疲労して折損することはない、という効果を奏する。また、ベーンスプリング挿入治具による挿入作業を手作業で行うことができ、ベーンスプリング挿入治具の位置決め装置等の設備を簡略化することができる。
【図面の簡単な説明】
【０００８】
【図１】図１は、本発明にかかるロータリ圧縮機の実施例１を示す縦断面図である。
【図２】図２は、第１、第２の圧縮部の横断面図である。
【図３】図３は、第１、第２の張出し部に形成された実施例１のスプリング穴、ベーンスプリング及びベーンスプリング挿入治具を示す部分断面図である。
【図４】図４は、実施例１のベーンスプリング挿入治具がスプリング穴に対して傾いてベーンスプリングを挿入する状態を示す部分断面図である。
【図５】図５は、実施例２のスプリング穴の面取り部を示す部分断面図である。
【図６】図６は、実施例３のスプリング穴の面取り部及びベーンスプリング挿入治具を示す部分断面図である。
【発明を実施するための形態】
【０００９】
以下に、本発明にかかるロータリ圧縮機の製造方法の実施例を図面に基づいて詳細に説明する。なお、この実施例によりこの発明が限定されるものではない。
【実施例１】
【００１０】
図１は、本発明にかかるロータリ圧縮機の実施例１を示す縦断面図であり、図２は、第１、第２の圧縮部の横断面図であり、図３は、第１、第２の張出し部に形成された実施例１のスプリング穴、ベーンスプリング及びベーンスプリング挿入治具を示す部分断面図であり、図４は、実施例１のベーンスプリング挿入治具がスプリング穴に対して傾いてベーンスプリングを挿入する状態を示す部分断面図である。
【００１１】
図１に示すように、実施例１のロータリ圧縮機１は、密閉された縦置き円筒状の圧縮機筐体１０の下部に設置された圧縮部１２と、圧縮機筐体１０の上部に設置され、回転軸１５を介して圧縮部１２を駆動するモータ１１と、を備えている。
【００１２】
モータ１１のステータ１１１は、圧縮機筐体１０の内周面に焼きばめされて固定されている。モータ１１のロータ１１２は、ステータ１１１の中央部に配置され、モータ１１と圧縮部１２とを機械的に接続する回転軸１５に焼きばめされて固定されている。
【００１３】
圧縮部１２は、第１の圧縮部１２Ｓと、第１の圧縮部１２Ｓと並列に設置され第１の圧縮部１２Ｓの上側に積層された第２の圧縮部１２Ｔと、を備えている。第１、第２の圧縮部１２Ｓ、１２Ｔは、第１、第２吸入孔１３５Ｓ、１３５Ｔ、第１、第２ベーン溝１２８Ｓ、１２８Ｔ及び第１、第２背圧室１２９Ｓ、１２９Ｔを設けるための第１、第２張出し部１２２Ｓ、１２２Ｔを有する環状の第１、第２シリンダ１２１Ｓ、１２１Ｔを備えている。
【００１４】
図１及び図２に示すように、第１、第２シリンダ１２１Ｓ、１２１Ｔには、モータ１１と同心に、円形の第１、第２シリンダ内壁１２３Ｓ、１２３Ｔが形成されている。第１、第２シリンダ内壁１２３Ｓ、１２３Ｔ内には、シリンダ内径よりも小さい外径の環状の第１、第２環状ピストン１２５Ｓ、１２５Ｔが夫々配置され、第１、第２シリンダ内壁１２３Ｓ、１２３Ｔと、第１、第２環状ピストン１２５Ｓ、１２５Ｔとの間に、冷媒ガスを吸入し圧縮して吐出する第１、第２作動室１３０Ｓ、１３０Ｔ（圧縮空間）が形成される。
【００１５】
第１、第２シリンダ１２１Ｓ、１２１Ｔには、第１、第２シリンダ内壁１２３Ｓ、１２３Ｔから径方向に、シリンダ高さ全域に亘る第１、第２ベーン溝１２８Ｓ、１２８Ｔが形成され、第１、第２ベーン溝１２８Ｓ、１２８Ｔ内に、夫々平板状の第１、第２ベーン１２７Ｓ、１２７Ｔが、気密且つ摺動自在に嵌合されている。
【００１６】
図２及び図３に示すように、第１、第２ベーン溝１２８Ｓ、１２８Ｔの奥部には、第１、第２張出し部１２２Ｓ、１２２Ｔの外周部から第１、第２ベーン溝１２８Ｓ、１２８Ｔに連通するように第１、第２のスプリング穴１２４Ｓ、１２４Ｔが形成されている。図３に示すように、第１、第２のスプリング穴１２４Ｓ、１２４Ｔには、第１、第２ベーン１２７Ｓ、１２７Ｔの背面を押圧するベーンスプリング１２６が挿入されている。常時は、このベーンスプリング１２６の反発力により、第１、第２ベーン１２７Ｓ、１２７Ｔが、第１、第２ベーン溝１２８Ｓ、１２８Ｔ内から第１、第２作動室１３０Ｓ、１３０Ｔ内に突出し、その先端が、第１、第２環状ピストン１２５Ｓ、１２５Ｔの外周面に当接し、第１、第２ベーン１２７Ｓ、１２７Ｔにより、第１、第２作動室１３０Ｓ、１３０Ｔ（圧縮空間）が、第１、第２吸入室１３１Ｓ、１３１Ｔと、第１、第２圧縮室１３３Ｓ、１３３Ｔとに区画される。なお、ベーンスプリング１２６とその組込方法については後述する。
【００１７】
また、第１、第２シリンダ１２１Ｓ、１２１Ｔには、第１、第２ベーン溝１２８Ｓ、１２８Ｔの奥部と圧縮機筐体１０内とを、図１の開口部Ｒで連通して圧縮機筐体１０内の圧縮された冷媒ガスを導入し、第１、第２ベーン１２７Ｓ、１２７Ｔに、冷媒ガスの圧力により背圧をかける第１、第２背圧室１２９Ｓ、１２９Ｔが形成されている。
【００１８】
第１、第２シリンダ１２１Ｓ、１２１Ｔの第１、第２張出し部１２２Ｓ、１２２Ｔには、第１、第２吸入室１３１Ｓ、１３１Ｔに外部から冷媒を吸入するために、第１、第２吸入室１３１Ｓ、１３１Ｔと外部とを連通させる第１、第２吸入孔１３５Ｓ、１３５Ｔが設けられている。
【００１９】
また、図１に示すように、第１シリンダ１２１Ｓと第２シリンダ１２１Ｔの間には、中間仕切板（閉塞板）１４０が設置され、第１シリンダ１２１Ｓの第１作動室１３０Ｓと第２シリンダ１２１Ｔの第２作動室１３０Ｔとを区画している。第１シリンダ１２１Ｓの下端部には、下端板（閉塞板）１６０Ｓが設置され、第１シリンダ１２１Ｓの第１作動室１３０Ｓを閉塞している。また、第２シリンダ１２１Ｔの上端部には、上端板（閉塞板）１６０Ｔが設置され、第２シリンダ１２１Ｔの第２作動室１３０Ｔを閉塞している。
【００２０】
下端板１６０Ｓには、下軸受部１６１Ｓが形成され、下軸受部１６１Ｓに、回転軸１５の下軸受支持部１５１が回転自在に支持されている。上端板１６０Ｔには、上軸受部１６１Ｔが形成され、上軸受部１６１Ｔに、回転軸１５の上軸受支持部１５３が回転自在に支持されている。
【００２１】
回転軸１５は、互いに１８０°位相をずらして偏心させた第１偏芯部１５２Ｓと第２偏芯部１５２Ｔとを備え、第１偏芯部１５２Ｓは、第１の圧縮部１２Ｓの第１環状ピストン１２５Ｓに回転自在に嵌合し、第２偏芯部１５２Ｔは、第２の圧縮部１２Ｔの第２環状ピストン１２５Ｔに回転自在に嵌合している。
【００２２】
回転軸１５が回転すると、第１、第２環状ピストン１２５Ｓ、１２５Ｔが、第１、第２シリンダ内壁１２３Ｓ、１２３Ｔに沿って第１、第２シリンダ１２１Ｓ、１２１Ｔ内を図２の反時計回りに公転し、これに追随して第１、第２ベーン１２７Ｓ、１２７Ｔが往復運動する。この第１、第２環状ピストン１２５Ｓ、１２５Ｔ及び第１、第２ベーン１２７Ｓ、１２７Ｔの運動により、第１、第２吸入室１３１Ｓ、１３１Ｔ及び第１、第２圧縮室１３３Ｓ、１３３Ｔの容積が連続的に変化し、圧縮部１２は、連続的に冷媒ガスを吸入し圧縮して吐出する。
【００２３】
図１に示すように、下端板１６０Ｓの下側には、下マフラーカバー１７０Ｓが配置され、下端板１６０Ｓとの間に下マフラー室１８０Ｓを形成している。そして、第１の圧縮部１２Ｓは、下マフラー室１８０Ｓに開口している。すなわち、下端板１６０Ｓの第１ベーン１２７Ｓ近傍には、第１シリンダ１２１Ｓの第１圧縮室１３３Ｓと下マフラー室１８０Ｓとを連通する第１吐出孔１９０Ｓ（図２参照）が設けられ、第１吐出孔１９０Ｓには、圧縮された冷媒ガスの逆流を防止する第１吐出弁２００Ｓが配置されている。
【００２４】
下マフラー室１８０Ｓは、環状に形成された１つの室であり、第１の圧縮部１２Ｓの吐出側を、下端板１６０Ｓ、第１シリンダ１２１Ｓ、中間仕切板１４０、第２シリンダ１２１Ｔ及び上端板１６０Ｔを貫通する冷媒通路１３６（図２参照）を通して上マフラー室１８０Ｔ内に連通させる連通路の一部である。下マフラー室１８０Ｓは、吐出冷媒ガスの圧力脈動を低減させる。また、第１吐出弁２００Ｓに重ねて、第１吐出弁２００Ｓの撓み開弁量を制限するための第１吐出弁押さえ２０１Ｓが、第１吐出弁２００Ｓとともにリベットにより固定されている。
【００２５】
図１に示すように、上端板１６０Ｔの上側には、上マフラーカバー１７０Ｔが設置され、上端板１６０Ｔとの間に上マフラー室１８０Ｔを形成している。上端板１６０Ｔの第２ベーン１２７Ｔ近傍には、第２シリンダ１２１Ｔの第２圧縮室１３３Ｔと上マフラー室１８０Ｔとを連通する第２吐出孔１９０Ｔ（図２参照）が設けられ、第２吐出孔１９０Ｔには、圧縮された冷媒ガスの逆流を防止する第２吐出弁２００Ｔが設置されている。
【００２６】
また、第２吐出弁２００Ｔに重ねて、第２吐出弁２００Ｔの撓み開弁量を制限するための第２吐出弁押さえ２０１Ｔが、第２吐出弁２００Ｔとともにリベットにより固定されている。上マフラー室１８０Ｔは、吐出冷媒の圧力脈動を低減させる。
【００２７】
第１シリンダ１２１Ｓ、下端板１６０Ｓ、下マフラーカバー１７０Ｓ、第２シリンダ１２１Ｔ、上端板１６０Ｔ、上マフラーカバー１７０Ｔ及び中間仕切板１４０は、ボルト１７５により一体に締結されている。ボルト１７５により一体に締結された圧縮部１２のうち、上端板１６０Ｔの外周部が、圧縮機筐体１０にスポット溶接により固着され、圧縮部１２を圧縮機筐体１０に固定している。
【００２８】
円筒状の圧縮機筐体１０の外周壁には、軸方向に離間して下部から順に、第１、第２貫通孔１０１、１０２が、第１、第２吸入管１０４、１０５を通すために設けられている。また、圧縮機筐体１０の外側部には、独立した円筒状の密閉容器からなるアキュムレータ２５が、アキュムホルダー２５２及びアキュムバンド２５３により保持されている。
【００２９】
アキュムレータ２５の天部中心には、冷凍サイクルの低圧側と接続するシステム接続管２５５が接続され、アキュムレータ２５の底部に設けられた底部貫通孔２５７には、一端がアキュムレータ２５の内部上方まで延設され、他端が、第１、第２吸入管１０４、１０５の他端に接続される第１、第２低圧連絡管３１Ｓ、３１Ｔが接続されている。
【００３０】
冷凍サイクルの低圧冷媒をアキュムレータ２５を介して第１、第２の圧縮部１２Ｓ、１２Ｔに導く第１、第２低圧連絡管３１Ｓ、３１Ｔは、吸入部としての第１、第２吸入管を介して第１、第２シリンダ１２１Ｓ、１２１Ｔの第１、第２吸入孔１３５Ｓ、１３５Ｔ（図２参照）に接続されている。すなわち、第１、第２吸入孔１３５Ｓ、１３５Ｔは、冷凍サイクルの低圧側に並列に連通している。
【００３１】
圧縮機筐体１０の天部には、冷凍サイクルの高圧側と接続し高圧冷媒ガスを冷凍サイクルの高圧側に吐出する吐出部としての吐出管１０７が接続されている。すなわち、第１、第２吐出孔１９０Ｓ、１９０Ｔは、冷凍サイクルの高圧側に連通している。
【００３２】
圧縮機筐体１０内には、およそ第２シリンダ１２１Ｔの高さまで潤滑油が封入されている。また、潤滑油は、回転軸１５の下部に挿入された羽根ポンプ（図示しない）によって圧縮部１２を循環し、摺動部品の潤滑及び微小隙間によって圧縮冷媒の圧縮空間を区画している箇所のシールをしている。
【００３３】
次に、図３及び図４を参照して、実施例１のロータリ圧縮機１の製造方法の特徴的な構成について説明する。図３に示すように、第１、第２シリンダ１２１Ｓ、１２１Ｔの第１、第２張出し部１２２Ｓ、１２２Ｔには、第１、第２張出し部１２２Ｓ、１２２Ｔの外周部から第１、第２ベーン溝１２８Ｓ、１２８Ｔに連通するように、第１、第２スプリング穴１２４Ｓ、１２４Ｔが形成されている。第１、第２スプリング穴１２４Ｓ、１２４Ｔは、外周部に第１、第２面取り部１２６Ｓ、１２６Ｔを有している。
【００３４】
第１、第２スプリング穴１２４Ｓ、１２４Ｔ内に挿入され第１、第２ベーン１２７Ｓ、１２７Ｔの背面を押圧するベーンスプリング１２６は、外径が第１、第２スプリング穴１２４Ｓ、１２４Ｔの内径より小さく形成され第１、第２ベーン１２７Ｓ、１２７Ｔの背面を押圧する有効ばね部１２６ａと、外径が第１、第２スプリング穴１２４Ｓ、１２４Ｔの外径より大きく形成され、第１、第２スプリング穴１２４Ｓ、１２４Ｔの入口に圧入されて係止される大径部１２６ｂと、を有している。
【００３５】
次に、第１、第２スプリング穴１２４Ｓ、１２４Ｔへのベーンスプリング１２６の組込方法を説明する。圧縮機筐体１０の外で、圧縮部１２を組立てた後、ベーンスプリング１２６の有効ばね部１２６ａを、第１、第２スプリング穴１２４Ｓ、１２４Ｔに挿入し、有効ばね部１２６ａの先端を、第１、第２ベーン１２７Ｓ、１２７Ｔの背面に当接させ、大径部１２６ｂを、第１、第２面取り部１２６Ｓ、１２６Ｔの近くに位置させる。
【００３６】
次に、ベーンスプリング挿入治具１３２の球状先端１３２ａを大径部１２６ｂの後端面に当てて押圧し、大径部１２６ｂを、第１、第２面取り部１２６Ｓ、１２６Ｔを滑らせて、第１、第２スプリング穴１２４Ｓ、１２４Ｔの入口に圧入して係止する。
【００３７】
ベーンスプリング挿入治具１３２の先端１３２ａが、直径が第１、第２スプリング穴１２４Ｓ、１２４Ｔの内径より大きい球状となっているので、図４に示すように、ベーンスプリング挿入治具１３２が、第１、第２スプリング穴１２４Ｓ、１２４Ｔに対して傾いた状態で、大径部１２６ｂを押圧、圧入しても、大径部１２６ｂの後端面は、第１、第２スプリング穴１２４Ｓ、１２４Ｔに対して垂直となり、傾斜することはない。
【００３８】
以下に、大径部１２６ｂの後端面が、第１、第２スプリング穴１２４Ｓ、１２４Ｔに対して垂直となる理由を説明する。ベーンスプリング１２６の大径部１２６ｂを、第１、第２スプリング穴１２４Ｓ、１２４Ｔに圧入することにより、ベーンスプリング１２６を第１、第２スプリング穴１２４Ｓ、１２４Ｔ内に保持する場合、第１、第２面取り部１２６Ｓ、１２６Ｔよりも奥まで大径部１２６ｂを挿入する必要がある。これは、大径部１２６ｂが第１、第２面取り部１２６Ｓ、１２６Ｔに掛かっていると、圧入しろを確保することができず、ベーンスプリング１２６を確実に保持することができなくなるためである。なお、第１、第２面取り部１２６Ｓ、１２６Ｔを無くしてしまうと、ベーンスプリング１２６の圧入作業が難しくなったり、ベーンスプリング１２６にキズが付き易いという問題がある。
【００３９】
従来、ベーンスプリング１２６の大径部１２６ｂを、第１、第２スプリング穴１２４Ｓ、１２４Ｔ内に圧入するには、第１、第２スプリング穴１２４Ｓ、１２４Ｔ内に挿入することができる円柱状の挿入治具の平端面で大径部１２６ｂを押圧していた。このとき、挿入治具が第１、第２スプリング穴１２４Ｓ、１２４Ｔに対して傾いていると、挿入治具の平端面も傾くので、大径部１２６ｂもそれに倣って傾いた状態で保持されてしまうが、実施の形態のベーンスプリング挿入治具１３２は、球状先端１３２ａを有しているので、ベーンスプリング挿入治具１３２が傾いても、球状先端１３２ａは傾いていないときと同じ形状であり、大径部１２６ｂが傾いて保持されることはない。また、従来の挿入治具は、第１、第２スプリング穴１２４Ｓ、１２４Ｔに対して傾かないように、精密な位置決め機構が必要であったが、実施例のベーンスプリング挿入治具１３２は、手作業で、大径部１２６ｂが傾かないように挿入作業を行なうことができる。
【００４０】
ベーンスプリング１２６の大径部１２６ｂの後端面が第１、第２スプリング穴１２４Ｓ、１２４Ｔに対して垂直となっているので、ベーンスプリング１２６の向きが、第１、第２スプリング穴１２４Ｓ、１２４Ｔの向きと一致し、ベーンスプリング１２６が圧縮されても、有効ばね部１２６ａが屈曲することはなく、第１、第２スプリング穴１２４Ｓ、１２４Ｔの内壁面に接触せず、長期の運転を行ってもベーンスプリング１２６が磨耗、疲労して折損することはない。
【００４１】
また、ベーンスプリング挿入治具１３２の球状先端１３２ａの直径が、第１、第２スプリング穴１２４Ｓ、１２４Ｔの内径より大きいので、球状先端１３２ａが、第１、第２スプリング穴１２４Ｓ、１２４Ｔ内に進入することはなく、大径部１２６ｂが、第１、第２スプリング穴１２４Ｓ、１２４Ｔの奥まで押込まれることもない。
【実施例２】
【００４２】
図５は、実施例２のスプリング穴の面取り部を示す部分断面図である。図５に示すように、実施例２の第１、第２スプリング穴１２４Ｓ、１２４Ｔは、外周部に、第１、第２面取り部１２６Ｓａ、１２６Ｔａを有している。第１、第２面取り部１２６Ｓａ、１２６Ｔａは、ベーンスプリング挿入治具１３２の球状先端１３２ａの半径と同一半径の球面状となっている。他の部分は、図３に示す実施例１と異なるところはない。
【００４３】
実施例２の第１、第２面取り部１２６Ｓａ、１２６Ｔａは、ベーンスプリング挿入治具１３２の球状先端１３２ａの半径と同一半径の球面状となっているので、球状先端１３２ａと面接触し、球状先端１３２ａの摩耗を低減してベーンスプリング挿入治具１３２の寿命を延ばすことができる。
【実施例３】
【００４４】
図６は、実施例３のスプリング穴の面取り部及びベーンスプリング挿入治具を示す部分断面図である。図６に示すように、実施例３のベーンスプリング挿入治具１３２の球状先端１３２ａが第１、第２スプリング穴１２４Ｓ、１２４Ｔの内壁端部と接触する点Ｐの、第１、第２スプリング穴１２４Ｓ、１２４Ｔの中心線からの開き角θが、４５°以上となるようにする。
【００４５】
すなわち、第１、第２スプリング穴１２４Ｓ、１２４Ｔの穴径をＤ、球状先端１３２ａの半径をＲとすると、Ｄ／２＜Ｒ≦Ｄ／（２ｓｉｎ４５°）となるように、穴径Ｄの値に基づいて球状先端１３２ａの半径Ｒの値を設定する。これにより、図６に示すように、第１、第２スプリング穴１２４Ｓ、１２４Ｔの第１、第２面取り部１２６Ｓｂ、１２６Ｔｂの面取り角度αを４５°以下にすることができる。
【００４６】
面取り角度αを４５°以下にすると、ベーンスプリング１２６の大径部１２６ｂが、第１、第２面取り部１２６Ｓｂ、１２６Ｔｂ上を滑り易くなり、第１、第２スプリング穴１２４Ｓ、１２４Ｔの入口に圧入し易くなる。
【符号の説明】
【００４７】
１  ロータリ圧縮機
１０  圧縮機筐体
１１  モータ
１２  圧縮部
１５  回転軸
２５  アキュムレータ
３１Ｓ  第１低圧連絡管
３１Ｔ  第２低圧連絡管
１０１  第１貫通孔
１０２  第２貫通孔
１０４  第１吸入管
１０５  第２吸入管
１０７  吐出管（吐出部）
１１１  ステータ
１１２  ロータ
１２Ｓ  第１の圧縮部
１２Ｔ  第２の圧縮部
１２１Ｓ  第１シリンダ
１２１Ｔ  第２シリンダ
１２２Ｓ  第１張出し部
１２２Ｔ  第２張出し部
１２３Ｓ  第１シリンダ内壁
１２３Ｔ  第２シリンダ内壁
１２４Ｓ  第１スプリング穴
１２４Ｔ  第２スプリング穴
１２５Ｓ  第１環状ピストン
１２５Ｔ  第２環状ピストン
１２６  ベーンスプリング
１２６ａ  有効ばね部
１２６ｂ  大径部
１２６Ｓ、１２６Ｓａ、１２６Ｓｂ  第１面取り部
１２６Ｔ、１２６Ｔａ、１２６Ｔｂ  第２面取り部
１２７Ｓ  第１ベーン
１２７Ｔ  第２ベーン
１２８Ｓ  第１ベーン溝
１２８Ｔ  第２ベーン溝
１２９Ｓ  第１背圧室
１２９Ｔ  第２背圧室
１３０Ｓ  第１作動室
１３０Ｔ  第２作動室
１３１Ｓ  第１吸入室
１３１Ｔ  第２吸入室
１３２  ベーンスプリング挿入治具
１３２ａ  球状先端
１３３Ｓ  第１圧縮室
１３３Ｔ  第２圧縮室
１３５Ｓ  第１吸入孔
１３５Ｔ  第２吸入孔
１３６  冷媒通路
１４０  中間仕切板（閉塞板）
１５１  下軸受支持部
１５２Ｓ  第１偏芯部
１５２Ｔ  第２偏芯部
１５３  上軸受支持部
１６０Ｓ  下端板（閉塞板）
１６０Ｔ  上端板（閉塞板）
１６１Ｓ  下軸受部
１６１Ｔ  上軸受部
１７０Ｓ  下マフラーカバー
１７０Ｔ  上マフラーカバー
１７５  ボルト
１８０Ｓ  下マフラー室
１８０Ｔ  上マフラー室
１９０Ｓ  第１吐出孔
１９０Ｔ  第２吐出孔
２００Ｓ  第１吐出弁
２００Ｔ  第２吐出弁
２０１Ｓ  第１吐出弁押さえ
２０１Ｔ  第２吐出弁押さえ
２５２  アキュムホルダー
２５３  アキュムバンド
２５５  システム接続管
２５７  底部貫通孔
Ｒ  第１、第２背圧室の開口部
【図１】
0005914975.tif 000002
【図２】
0005914975.tif 000003
【図３】
0005914975.tif 000004
【図４】
0005914975.tif 000005
【図５】
0005914975.tif 000006
【図６】
0005914975.tif 000007